(57)【要約】【課題】従来集中管理が難しかったショーケースも含めて店舗内の全てのショーケースを集中管理することを可能とする。【解決手段】メインコントローラ１１に通信線１４を介して接続されていない非接続ケースコントローラ４７と、情報の入出力が可能なタブレット端末４１を備え、タブレット端末４１から非接続ケースコントローラ４７に無線通信により指示情報を送信し、非接続ケースコントローラ４７からは無線通信により運転情報をタブレット端末４１に送信する。メインコントローラ１１は保有する情報をタブレット端末４１に送信し、このタブレット端末４１はメインコントローラ１１から送信された情報を収集する。【選択図】図１
2017096561.tif 000002
【特許請求の範囲】
【請求項１】
メインコントローラと、複数台のショーケースにそれぞれ設けられ、前記メインコントローラに通信線を介して接続された接続ケースコントローラを備え、前記メインコントローラから前記各接続ケースコントローラに指示情報を送信し、各接続ケースコントローラからは前記メインコントローラに運転情報を送信することで、当該メインコントローラにより前記各ショーケースの運転を集中的に管理する集中管理システムにおいて、
ショーケースに設けられ、前記メインコントローラに通信線を介して接続されていない非接続ケースコントローラと、
情報の入出力が可能な携帯端末装置を備え、
該携帯端末装置から前記非接続ケースコントローラに無線通信により指示情報を送信し、該非接続ケースコントローラからは無線通信により運転情報を前記携帯端末装置に送信すると共に、
前記メインコントローラは当該メインコントローラが保有する情報を前記携帯端末装置に送信し、該携帯端末装置は前記メインコントローラから送信された情報を収集することを特徴とする集中管理システム。
【請求項２】
メインコントローラと、複数台のショーケースにそれぞれ設けられ、前記メインコントローラに通信線を介して接続された接続ケースコントローラと、圧縮機を備えて冷媒を前記各ショーケースに供給する冷凍機に設けられ、前記メインコントローラに通信線を介して接続された冷凍機コントローラを備え、前記メインコントローラから前記各接続ケースコントローラ及び冷凍機コントローラに指示情報を送信し、各接続ケースコントローラ及び冷凍機コントローラからは前記メインコントローラに運転情報を送信することで、当該メインコントローラにより前記各ショーケース及び冷凍機の運転を集中的に管理する集中管理システムにおいて、
圧縮機を備えたショーケースに設けられ、前記メインコントローラに通信線を介して接続されていない非接続ケースコントローラと、
情報の入出力が可能な携帯端末装置を備え、
該携帯端末装置から前記非接続ケースコントローラに無線通信により指示情報を送信し、該非接続ケースコントローラからは無線通信により運転情報を前記携帯端末装置に送信すると共に、
前記メインコントローラは当該メインコントローラが保有する情報を前記携帯端末装置に送信し、該携帯端末装置は前記メインコントローラから送信された情報を収集することを特徴とする集中管理システム。
【請求項３】
前記メインコントローラは無線通信により当該メインコントローラが保有する情報を前記携帯端末装置に送信し、該携帯端末装置は無線通信により前記メインコントローラから送信された情報を受信することを特徴とする請求項１又は請求項２に記載の集中管理システム。
【請求項４】
前記携帯端末装置は、前記非接続ケースコントローラ及びメインコントローラから収集した情報に基づき、前記各ショーケース、又は、各ショーケース及び前記冷凍機の運転状況を判定し、出力することを特徴とする請求項１乃至請求項３のうちの何れかに記載の集中管理システム。
【請求項５】
前記携帯端末装置は、表示部及び入力部を有するタブレット端末であることを特徴とする請求項１乃至請求項４のうちの何れかに記載の集中管理システム。
【請求項６】
前記携帯端末装置は、前記ショーケースが設置された店舗の売上管理端末であることを特徴とする請求項１乃至請求項５のうちの何れかに記載の集中管理システム。
【発明の詳細な説明】
【技術分野】
【０００１】
本発明は、店舗に設置された複数台のショーケースを集中的に管理する集中管理システムに関するものである。
【背景技術】
【０００２】
従来よりコンビニエンスストア等の店舗内（店内）には複数台のショーケースが設置され、サンドイッチ、おにぎり、弁当、総菜等の食品や飲料等の冷蔵商品、アイスや冷凍食品等の冷凍商品を冷却しながら陳列販売している。この場合、特に壁際に設置される各ショーケース（別置型ショーケースと称される）には店外等に設置された冷凍機の圧縮機から冷媒が分配供給される構成とされていた。
【０００３】
また、各ショーケースの庫内温度の制御はそれぞれに設けられたコントローラが実行すると共に、圧縮機の運転制御は、冷凍機に設けられたコントローラが実行するものであるが、近年では店舗の各ショーケースや冷凍機を集中的に管理するためのメインとなるコントローラ（集中制御装置）を設け、各ショーケースや冷凍機に設けられたコントローラを通信線にてこのメインとなるコントローラに接続し、指示情報や運転情報の送受信を行うことによって集中管理するシステムが開発されている（例えば、特許文献１参照）。
【先行技術文献】
【特許文献】
【０００４】
【特許文献１】特開２００５−２４２７０５号公報
【発明の概要】
【発明が解決しようとする課題】
【０００５】
ここで、特にアイスを冷凍販売するショーケースの場合、コンビニエンスストアでは壁から離れた通路に島状に設置される場合が多く、この場合のショーケースは圧縮機を内蔵した所謂内蔵型ショーケースが使用される。このショーケースの場合にも、当該ショーケースに設けられたコントローラにより庫内温度の制御が行われるものであるが、従来では係るショーケースのコントローラは前述したメインとなるコントローラに接続されておらず、そのため、従来では店舗に設置されたショーケースの全てを集中管理することができなかった。
【０００６】
本発明は、係る従来の技術的課題を解決するために成されたものであり、従来集中管理が難しかったショーケースも含めて店舗内の全てのショーケースを集中管理することを可能とした集中管理システムを提供することを目的とする。
【課題を解決するための手段】
【０００７】
上記課題を解決するために、請求項１の発明の集中管理システムは、メインコントローラと、複数台のショーケースにそれぞれ設けられ、メインコントローラに通信線を介して接続された接続ケースコントローラを備え、メインコントローラから各接続ケースコントローラに指示情報を送信し、各接続ケースコントローラからはメインコントローラに運転情報を送信することで、当該メインコントローラにより各ショーケースの運転を集中的に管理するものであって、ショーケースに設けられ、メインコントローラに通信線を介して接続されていない非接続ケースコントローラと、情報の入出力が可能な携帯端末装置を備え、この携帯端末装置から非接続ケースコントローラに無線通信により指示情報を送信し、この非接続ケースコントローラからは無線通信により運転情報を携帯端末装置に送信すると共に、メインコントローラは当該メインコントローラが保有する情報を携帯端末装置に送信し、この携帯端末装置はメインコントローラから送信された情報を収集することを特徴とする。
【０００８】
請求項２の発明の集中管理システムは、メインコントローラと、複数台のショーケースにそれぞれ設けられ、メインコントローラに通信線を介して接続された接続ケースコントローラと、圧縮機を備えて冷媒を各ショーケースに供給する冷凍機に設けられ、メインコントローラに通信線を介して接続された冷凍機コントローラを備え、メインコントローラから各接続ケースコントローラ及び冷凍機コントローラに指示情報を送信し、各接続ケースコントローラ及び冷凍機コントローラからはメインコントローラに運転情報を送信することで、当該メインコントローラにより各ショーケース及び冷凍機の運転を集中的に管理するものであって、圧縮機を備えたショーケースに設けられ、メインコントローラに通信線を介して接続されていない非接続ケースコントローラと、情報の入出力が可能な携帯端末装置を備え、この携帯端末装置から非接続ケースコントローラに無線通信により指示情報を送信し、この非接続ケースコントローラからは無線通信により運転情報を携帯端末装置に送信すると共に、メインコントローラは当該メインコントローラが保有する情報を携帯端末装置に送信し、この携帯端末装置はメインコントローラから送信された情報を収集することを特徴とする。
【０００９】
請求項３の発明の集中管理システムは、上記各発明においてメインコントローラは無線通信により当該メインコントローラが保有する情報を携帯端末装置に送信し、この携帯端末装置は無線通信によりメインコントローラから送信された情報を受信することを特徴とする。
【００１０】
請求項４の発明の集中管理システムは、上記各発明において携帯端末装置は、非接続ケースコントローラ及びメインコントローラから収集した情報に基づき、各ショーケース、又は、各ショーケース及び冷凍機の運転状況を判定し、出力することを特徴とする。
【００１１】
請求項５の発明の集中管理システムは、上記各発明において携帯端末装置は、表示部及び入力部を有するタブレット端末であることを特徴とする。
【００１２】
請求項６の発明の集中管理システムは、上記各発明において携帯端末装置は、ショーケースが設置された店舗の売上管理端末であることを特徴とする。
【発明の効果】
【００１３】
本発明によれば、通信線を介して接続された接続ケースコントローラや冷凍機コントローラをメインコントローラにより集中的に管理する集中管理システムに、更に携帯端末装置を導入し、ショーケースに設けられてメインコントローラに通信線を介して接続されていない非接続ケースコントローラにこの携帯端末装置から無線通信により指示情報を送信し、非接続ケースコントローラからは無線通信により運転情報を携帯端末装置に送信するようにした。更にまた、メインコントローラが保有する情報を当該メインコントローラが携帯端末装置に送信し、携帯端末装置はメインコントローラから送信された情報を収集するようにしたので、メインコントローラにより集中的に管理されているショーケースや冷凍機の情報に加え、従来メインコントローラでは管理していなかったショーケースの情報も携帯端末装置に収集し、それを管理することができるようになる。
【００１４】
これにより、店舗に設置された全てのショーケースや冷凍機の運転を携帯端末装置にて集中的に管理することが可能となり、店舗の運用管理作業の著しい改善を図ることができるようになる。特に、非接続ケースコントローラに携帯端末装置との間の無線通信機能を持たせ、メインコントローラに携帯端末装置との間の通信機能を追加するだけでシステムを構築することが可能となるので、メインコントローラを中心とした既存のシステムの変更を最小限に止めることができるようになり、汎用性にも富んだものとなる。
【００１５】
この場合、請求項３の発明の如くメインコントローラと携帯端末装置との間の通信も無線通信とすることで、取扱作業性を著しく改善することができるようになる。また、請求項４の発明の如く携帯端末装置が、非接続ケースコントローラ及びメインコントローラから収集した情報に基づき、各ショーケース、又は、各ショーケース及び冷凍機の運転状況を判定し、出力するようにすることで、ショーケースや冷凍機の運転状況を、携帯端末装置を携帯してそれを見ながら作業者が確認することが可能となり、メンテナンス作業性も著しく改善される。
【００１６】
そして、請求項５や請求項６の発明の如く携帯端末装置を店舗の売上管理端末であるタブレット端末とすることで、ショーケースや冷凍機の運転管理と商品の売上管理を統合した店舗管理を実現することが可能となる。
【図面の簡単な説明】
【００１７】
【図１】本発明を適用した実施例の集中管理システムの通信回線と、ショーケース及び冷凍機の配管構成を説明する図である。
【図２】図１の接続ケースコントローラ及び冷凍機コントローラの機能ブロック図である。
【図３】図１のメインコントローラの機能ブロック図である。
【図４】図１の非接続ケースコントローラの機能ブロック図である。
【図５】図１のタブレット端末（携帯端末装置）の機能ブロック図である。
【図６】図１のタブレット端末における判定画面の一例を示す図である。
【図７】図２〜図５の各コントローラとタブレット端末間の情報の送受信を説明する図である。
【発明を実施するための形態】
【００１８】
以下、図面に基づいて本発明の実施の形態について、詳細に説明する。図１は実施例の集中管理システム１の通信回線と、集中管理システム１を適用する実施例の冷凍装置Ｒの配管構成を示している。
【００１９】
（１）冷凍装置Ｒ
図１において、実施例の冷凍装置Ｒは、例えばコンビニエンスストア等の店舗の店内壁際に設置された四台のショーケース２Ａ、２Ｂ、２Ｃ、２Ｄと、圧縮機３等を備えて店外に設置された冷凍機４とから構成されている。各ショーケース２Ａ〜２Ｄはそれぞれ蒸発器６、膨張弁（電子膨張弁）７及び図示しない冷気循環用送風機等を備えており、冷凍機４には圧縮機３の他に図示しない凝縮器や凝縮器用送風機等が設けられている。尚、実施例では単一の圧縮機３で示すが、複数台の圧縮機で図１の冷凍機４の圧縮機３を構成しても良い。
【００２０】
冷凍機４の圧縮機３の吐出側には前述した凝縮器が接続され、この凝縮器に高圧配管（冷媒配管）８が接続されている。各ショーケース２Ａ〜２Ｄは所謂別置型のショーケースであり、各ショーケース２Ａ〜２Ｄの蒸発器６の入口はそれぞれ膨張弁７を介して高圧配管８に並列に接続され、蒸発器６の出口は低圧配管（冷媒配管）９を介して圧縮機３の吸込側に接続される。これにより、冷凍装置Ｒの周知の冷媒回路が構成されている。
【００２１】
そして、圧縮機３から吐出された高温高圧の冷媒（例えば、Ｒ４０４ａ等）は凝縮器にて空冷された後、冷凍機４から出て高圧配管８に入り、この高圧配管８を経て各ショーケース２Ａ〜２Ｄに分配供給される。この共通の圧縮機３から各ショーケース２Ａ〜２Ｄに分配供給された冷媒は、各膨張弁７にて絞られた後、蒸発器６に流入してそれぞれ蒸発する。このときの吸熱作用で前記冷気循環用送風機により循環される空気を冷却し、この冷却された冷気を庫内に循環させることにより、各ショーケース２Ａ〜２Ｄの庫内は冷却される。蒸発器６で蒸発した冷媒は、その後低圧配管９を経て冷凍機４に入り、圧縮機３に吸い込まれる循環を繰り返す。
【００２２】
（２）接続ケースコントローラ１２
各ショーケース２Ａ〜２Ｄにはマイクロコンピュータから構成された接続ケースコントローラ１２がそれぞれ設けられている。図２はこの接続ケースコントローラ１２の機能ブロック図を示している。接続ケースコントローラ１２は、ショーケース２Ａ〜２Ｄの各機器（膨張弁７や冷気循環用送風機）の運転制御や後述するメインコントローラ１１との間の通信制御を司る制御部２１と、各種情報（データ）を記憶する記憶部２２と、庫内温度等を検出するセンサＳが接続される信号入力部２３と、各種データ等を表示する表示部２４と、設定切換等を行う入力部２６と、上記各機器を駆動する機器駆動部２７と、後述するメインコントローラ１１と後述する通信線１４を介して情報(データ）の送受信を行う通信部２８から構成されている。
【００２３】
各接続ケースコントローラ１２の制御部２１は、後述するメインコントローラ１１から各ショーケース２Ａ〜２Ｄ宛に送信される指示情報（運転指示データ）を通信部２８を介して受信し、この受信した指示情報（設定温度）と自らの庫内温度を検出するセンサＳ（この場合温度センサ）の出力に基づき、機器駆動部２７により膨張弁７の弁開度や前記冷気循環用送風機の運転を制御する。
【００２４】
この場合、ショーケース２Ａ、２Ｂは例えば日配品や飲料等の冷蔵商品を冷却しながら陳列販売する冷蔵ショーケースであり、ショーケース２Ａ、２Ｂの接続ケースコントローラ１２の制御部２１は、庫内温度が平均として設定温度（指示情報）の例えば＋１０℃となるように全閉から制御上限開度の間で機器駆動部２７により膨張弁７の弁開度を制御し、冷気循環用送風機の運転を制御する。
【００２５】
また、ショーケース２Ｃは例えば精肉や鮮魚等の冷蔵商品を冷却しながら陳列販売する冷蔵ショーケースであり、ショーケース２Ｃの接続ケースコントローラ１２の制御部２１は、庫内温度が平均として設定温度（指示情報）の例えば＋５℃となるように全閉から制御上限開度の間で機器駆動部２７により膨張弁７の弁開度を制御し、冷気循環用送風機の運転を制御する。
【００２６】
更に、ショーケース２Ｄは箱入りのアイスクリームや冷凍食品等の冷凍商品を冷却しながら陳列販売する冷凍ショーケースであり、ショーケース２Ｄの接続ケースコントローラ１２の制御部２１は、庫内温度が平均として設定温度（指示情報）の例えば−１０℃となるように全閉から制御上限開度の間で機器駆動部２７により膨張弁７の弁開度を制御し、冷気循環用送風機の運転を制御する。
【００２７】
（３）冷凍機コントローラ１３
また、冷凍機４にもマイクロコンピュータから構成された冷凍機コントローラ１３が設けられている。この冷凍機コントローラ１３の構成は基本的に図２と同様であるが、信号入力部２３に接続されるセンサＳは圧力センサ等となり、機器駆動部２７が駆動する機器は圧縮機３等となる。そして、この冷凍機コントローラ１３の制御部２１は、後述するメインコントローラ１１から冷凍機コントローラ１３宛の指示情報（運転指示データ）を通信部２８を介して受信し、この指示情報（低圧圧力設定値）と低圧配管９から圧縮機３の吸込側に至る冷媒回路の低圧圧力を検出する前記センサＳ（圧力センサ）の出力に基づき、機器駆動部２７により圧縮機３の運転周波数（回転数）を制御する。
【００２８】
この場合、冷凍機コントローラ１３の制御部２１はメインコントローラ１１から送信された低圧圧力設定値（指示情報）と前記センサＳが検出した低圧圧力（実測値）とに基づき、低圧圧力が低圧圧力設定値より高い場合は機器駆動部２７により圧縮機３の運転周波数を上昇させ、低い場合には低下させる方向で圧縮機３の運転を制御することにより、低圧圧力を低圧圧力設定値に制御すると共に、全ショーケース２Ａ〜２Ｄの膨張弁７が全閉とされた場合には機器駆動部２７により圧縮機３を停止する。
【００２９】
（４）メインコントローラ１１
前記メインコントローラ１１は、店舗の管理室等に設置されたストアマスターと称される集中制御装置であり、マイクロコンピュータから構成される。図３はこのメインコントローラ１１の機能ブロック図を示している。メインコントローラ１１は、各機器の制御や通信制御を司る制御部３１と、各種情報（データ）を記憶する記憶部３２と、店内温度等を検出するセンサＳが接続される信号入力部３３と、各種データ等を表示する液晶ディスプレイ等から成る表示部３４と、キースイッチ等から成る入力部３６と、ブザー等から成る出力部３７と、インターネット回線を介してデータの送受信を行うモデム３８と、前述した接続ケースコントローラ１２や冷凍機コントローラ１３と通信線１４を介して情報(データ）の送受信を行う通信部３９と、後述する携帯端末装置の実施例としてのタブレット端末４１に無線ＬＡＮを介してデータを無線通信する無線通信部４２から構成されている。
【００３０】
そして、メインコントローラ１１（通信部３９）には、通信線１４により各接続ケースコントローラ１２（通信部２８）及び冷凍機コントローラ１３(通信部２８）が接続され、この通信線１４を介してメインコントローラ１１と各接続ケースコントローラ１２との間、及び、メインコントローラ１１と冷凍機コントローラ１３との間で情報（データ）の送受信が行われる。これらメインコントローラ１１、各接続ケースコントローラ１２及び冷凍機コントローラ１３により、通信線１４にて接続された既存の店舗の集中管理システムが構築されることになる。
【００３１】
この場合、メインコントローラ１１の制御部３１は各接続ケースコントローラ１２及び冷凍機コントローラ１３に予め割り付けられたＩＤを用いてそれら各接続ケースコントローラ１２、冷凍機コントローラ１３を識別する。そして、各接続ケースコントローラ１２及び冷凍機コントローラ１３からＩＤと共に送信されて来る運転情報に関するデータ（ショーケース２Ａ〜２Ｄの場合には庫内温度、蒸発器６の霜取運転の状況等の情報、冷凍機４の場合には圧縮機３の運転状況や低圧圧力の状況等）を受信し、それらを記憶部３２に格納して管理する。
【００３２】
また、メインコントローラ１１からは各接続ケースコントローラ１２及び冷凍機コントローラ１３宛に前述したＩＤと共に指示情報に関するデータ（ショーケース２Ａ〜２Ｄの場合には前述した設定温度、冷凍機４の場合には前述した低圧圧力設定値等）を送信する。各接続ケースコントローラ１２や冷凍機コントローラ１３の制御部２１は受信したデータを記憶部２２に格納して各機器の運転を制御する。これらによりメインコントローラ１１は各ショーケース２Ａ〜２Ｄ及び冷凍機４の運転を集中して管理する。
【００３３】
（５）ショーケース２Ｅ
次に、図１において２Ｅはアイスクリームを冷却しながら陳列販売する冷凍ショーケース（アイスケース）であり、店舗の通路等に島状に設置されている。このショーケース２Ｅは所謂内蔵型のショーケースであり、圧縮機４３と、図示しない凝縮器、キャピラリチューブ等の減圧装置４４、蒸発器４６から成る周知の冷媒回路を備えている。圧縮機４３から吐出された冷媒は、減圧装置４４にて絞られた後、蒸発器４６に流入して蒸発する。このときの吸熱作用で図示しない冷気循環用送風機により循環される空気を冷却し、この冷却された冷気を庫内に循環させることにより、ショーケース２Ｅの庫内は冷却される。蒸発器４６で蒸発した冷媒は圧縮機４３に吸い込まれる循環を繰り返す。
【００３４】
（６）非接続ケースコントローラ４７
このショーケース２Ｅにもマイクロコンピュータから構成された非接続ケースコントローラ４７が設けられている。但し、この非接続ケースコントローラ４７は通信線１４を介してメインコントローラ１１には接続されていない。
【００３５】
図４はこの非接続ケースコントローラ４７の機能ブロック図を示している。非接続ケースコントローラ４７は、ショーケース２Ｅの各機器（圧縮機４３や冷気循環用送風機）の運転制御や後述するタブレット端末４１との間の通信制御を司る制御部４８と、各種情報（データ）を記憶する記憶部４９と、庫内温度等を検出するセンサＳが接続される信号入力部５１と、各種データ等を表示する表示部５２と、設定切換等を行う入力部５３と、上記各機器を駆動する機器駆動部５４と、後述するタブレット端末４１と無線ＬＡＮを介して情報(データ）の無線通信を行う無線通信部５６から構成されている。
【００３６】
非接続ケースコントローラ４７の制御部４８は、後述するタブレット端末４１からショーケース２Ｅ宛に送信される指示情報（運転指示データ）を無線通信部５６を介して受信し、この受信した指示情報（設定温度）と自らの庫内温度を検出するセンサＳ（この場合温度センサ）の出力に基づき、機器駆動部５４により圧縮機４３や前記冷気循環用送風機の運転を制御し、指示情報に強制除霜指示情報が含まれている場合には、蒸発器４６の除霜を強制的に実行する。
【００３７】
（７）タブレット端末４１（携帯端末装置）
次に、図１に示した４１は前述したタブレット端末である。このタブレット端末４１は携帯可能な端末装置（携帯端末装置）であり、図６に示す如き比較的大型の液晶ディスプレイから成る表示部６１とこの表示部６１に設けられたタッチスイッチから成る入力部６２を備えて情報の入出力が可能とされている（図５）。図５はこのタブレット端末４１の機能ブロック図を示している。タブレット端末４１もマイクロコンピュータから構成され、通信を含む各種制御を司る制御部６３と、各種情報（データ）を記憶する記憶部６４と、前述した表示部６１及び入力部６２と、前述したメインコントローラ１１から無線ＬＡＮを介してデータを受信し、非接続ケースコントローラ４７との間で無線通信によりデータの送受信を行う無線通信部６６から構成されている。
【００３８】
尚、実施例のタブレット端末４１は店舗の売上管理を行う端末であり、制御部６３は当該店舗の在庫管理から売上管理までの所謂ＰＯＳ端末としての機能も有する。
【００３９】
（８）店舗内無線ＬＡＮ
図１において６７は店舗内に無線ＬＡＮを構築する無線ＬＡＮルータであり、この無線ＬＡＮルータ６７はブロードバンドモデム６８を介してインターネットに接続されている。そして、タブレット端末４１とメインコントローラ１１と非接続ケースコントローラ４７は、実施例ではこの無線ＬＡＮルータ６７を介して情報（データ）の送受信を行う（尚、係る無線ＬＡＮルータを用いずに直接相互に送受信できるようにしてもよい）。
【００４０】
この場合も、タブレット端末４１の制御部６３は非接続ケースコントローラ４７及びメインコントローラ１１に予め割り付けられたＩＤを用いてそれら非接続ケースコントローラ４７、メインコントローラ１１を識別する。そして、非接続ケースコントローラ４７からＩＤと共に送信されて来る運転情報に関するデータ（庫内温度、蒸発器４６の霜取運転の状況等の情報等）を無線通信部６６により受信し、記憶部６４に格納して管理する。
【００４１】
（９）タブレット端末４１による異常管理の例
タブレット端末４１からは非接続ケースコントローラ４７宛に前述したＩＤと共に指示情報に関するデータ（前述した設定温度や強制除霜指示情報等）を送信する。この場合、例えばタブレット端末４１の制御部６３は非接続ケースコントローラ４７から受信した運転情報から庫内温度が設定温度より異常に上昇している否か判定し、庫内温度の高温異常が発生している運転状況の場合には、図６に６１Ａで示すような「ケース２Ｅ高温異常」の画面を表示部６１で出力する。
【００４２】
制御部６３は更に表示部６１に「強制除霜」のボタン６２Ａを表示する。そして、使用者がこの「強制除霜」ボタン６２Ａをタッチすると、制御部６３は無線通信部６６を介して非接続ケースコントローラ４７に宛て、強制除霜指示情報を送信する。非接続ケースコントローラ４７の制御部４８はタブレット端末４１から送信されたデータを無線通信部５６により受信し、当該データを記憶部４９に格納して各機器の運転を制御するが、前述した如く指示情報に強制除霜指示情報が含まれている場合には、蒸発器４６の除霜を強制的に実行する。このようにしてタブレット端末４１を用い、ショーケース２Ｅの運転を管理することができるようになる。
【００４３】
また、タブレット端末４１はメインコントローラ１１からＩＤと共に送信されて来る情報（メインコントローラ１１が管理している各ショーケース２Ａ〜２Ｄや冷凍機４の運転情報等：メインコントローラ情報）を無線通信部６６により受信し、記憶部６４に格納して管理する。タブレット端末４１では収集した情報を適宜表示部６１に表示できるので、これらにより、タブレット端末４１ではショーケース２Ｅに加え、メインコントローラ１１が集中管理している各ショーケース２Ａ〜２Ｄ、冷凍機４の運転状況も集中して管理することができるようになる。
【００４４】
この場合、タブレット端末４１は携帯可能な端末装置であるので、メインコントローラ１１から収集した情報に各ショーケース２Ａ〜２Ｄや冷凍機４の異常に関する情報（警報）が含まれている場合や、非接続ケースコントローラ４７から収集した運転情報から前述した如く異常判定が行われた場合には、作業者が実際にタブレット端末４１を所持して当該機器の設置箇所に赴き、その表示部６１の表示を確認しながらメインコントローラ１１を操作し、或いは、各ショーケース２Ａ〜２Ｅ及び冷凍機４の運転状況の確認、メンテナンスを行い、特に、ショーケース２Ｅの非接続ケースコントローラ４７には前述した如く指示情報を送信して運転を制御することができるようになる。
【００４５】
（１０）情報通信の纏め
図７は以上説明した各コントローラ１１、１２、１３、４７と、タブレット端末４１との間の情報の送受信を纏めて示している。尚、図中実線で示す矢印は通信線１４を介した有線による通信であり、破線で示す矢印は無線ＬＡＮを介した無線通信を示している。このようにタブレット端末４１は無線ＬＡＮルータ６７を介して非接続コントローラ４７との間の無線通信を行い、メインコントローラ１１から情報を無線通信により収集する。
【００４６】
図７に纏めて示した実施例ではタブレット端末４１とメインコントローラ１１との間の通信を無線ＬＡＮによる無線通信で説明したが、それに限らず、メインコントローラ１１とタブレット端末４１とをコネクタ（ドック）等により有線で接続可能としておき（メインコントローラ１１にパソコンが接続されている場合には、当該パソコンとタブレット端末４１をコネクタで接続するようにしても良い）、コネクタを介してメインコントローラ１１からタブレット端末４１にメインコントローラ情報を収集するようにしてもよい。
【００４７】
以上詳述した如く、通信線１４を介して接続された接続ケースコントローラ１２や冷凍機コントローラ１３をメインコントローラ１１により集中的に管理する集中管理システムに、更にタブレット端末４１（携帯端末装置）を導入し、ショーケース２Ｅに設けられてメインコントローラ１１に通信線１４を介して接続されていない非接続ケースコントローラ４７にこのタブレット端末４１から無線通信により指示情報を送信し、非接続ケースコントローラ４７からは無線通信により運転情報をタブレット端末４１に送信するようにした。更にまた、メインコントローラ１１が保有する情報を当該メインコントローラ１１がタブレット端末４１に送信し、タブレット端末４１はメインコントローラ１１から送信された情報を収集する構成としたことにより、メインコントローラ１１により集中的に管理されているショーケース２Ａ〜２Ｄや冷凍機４の情報に加え、従来メインコントローラ１１では管理していなかったショーケース２Ｅの情報もタブレット端末４１に収集し、それを管理することができるようになる。
【００４８】
これにより、店舗に設置された全てのショーケース２Ａ〜２Ｅや冷凍機４の運転をタブレット端末４１にて集中的に管理することが可能となり、店舗の運用管理作業の著しい改善を図ることができるようになる。特に、非接続ケースコントローラ４７にタブレット端末４１との間の無線通信機能を持たせ、メインコントローラ１１にタブレット端末４１との間の通信機能を追加するだけでシステムを構築することが可能となるので、メインコントローラ１１を中心とした既存のシステムの変更を最小限に止めることができるようになり、汎用性にも富んだものとなる。
【００４９】
この場合、メインコントローラ１１とタブレット端末４１との間の通信も無線通信とすることで、取扱作業性を著しく改善することができるようになる。また、タブレット端末４１が、非接続ケースコントローラ４７及びメインコントローラ１１から収集した情報に基づき、各ショーケース２Ａ〜２Ｅ及び冷凍機４の運転状況を判定し、出力するようにしたことで、ショーケース２Ａ〜２Ｅや冷凍機４の運転状況を、タブレット端末４１を携帯してそれを見ながら作業者が確認することが可能となり、メンテナンス作業性も著しく改善される。
【００５０】
また、実施例ではタブレット端末４１は店舗の売上管理端末であるので、ショーケース２Ａ〜２Ｅや冷凍機４の運転管理と商品の売上管理を統合した店舗管理を実現することが可能となる。
【００５１】
尚、実施例の冷凍装置Ｒでは冷凍機４の冷凍機コントローラ１３がメインコントローラ１１に接続された構成としたが、請求項１の発明ではそれに限らず、ショーケース２Ａ〜２Ｄの接続ケースコントローラ１２のみがメインコントローラ１１に通信線１４で接続され、冷凍機４は低圧圧力に基づいて自立して運転する構成でもよい。
【００５２】
また、実施例ではタブレット端末４１にて携帯端末装置を構成したが、請求項５以外の発明ではそれに限らず、通常のスイッチとディスプレイを備えて無線通信可能な携帯端末装置でも有効である。更に、実施例ではタブレット端末４１はメインコントローラ１１からメインコントローラ情報を収集するのみの構成で説明したが、それに限らず、タブレット端末４１からメインコントローラ１１に指示情報を送信して、各ショーケース２Ａ〜２Ｄや冷凍機４の運転をタブレット端末４１で制御できるようにしてもよい。
【符号の説明】
【００５３】
Ｒ  冷凍装置
１  集中管理システム
２Ａ〜２Ｅ  ショーケース
３、４３  圧縮機
４  冷凍機
６、４６  蒸発器
７  膨張弁
１１  メインコントローラ
１２  接続ケースコントローラ
１３  冷凍機コントローラ
１４  通信線
４１  タブレット端末（携帯端末装置）
４４  減圧装置
４７  非接続ケースコントローラ
６７  無線ＬＡＮルータ
【図１】
2017096561.tif 000003
【図２】
2017096561.tif 000004
【図３】
2017096561.tif 000005
【図４】
2017096561.tif 000006
【図５】
2017096561.tif 000007
【図６】
2017096561.tif 000008
【図７】
2017096561.tif 000009